(57)【要約】【課題】内容器内の液体を加熱部により沸騰状態まで加熱した直後に、電動ポンプを駆動し内容器内の液体を出湯する際、内容器出口や、電動ポンプの吸い込み口内、インペラ等に気泡が充満し出湯不可能状態になることが課題であった。【解決手段】一部に加熱部を有した液体を貯めるための内容器と、内容器底部の内容器出口に接続され途中に電動ポンプを設けた出湯管路を有した電気湯沸かし器において、内容器と内容器出口との間に断熱構成を有したことにより、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。【選択図】　図１
2004097438.tif 000002
【特許請求の範囲】
【請求項１】
外装本体に内包されるとともに収容した液体を加熱する加熱部を有した内容器と、前記内容器底部の内容器出口に接続され途中に電動ポンプを設けた出湯管路とを備え、前記内容器と前記内容器出口との間に断熱構成を有した電気湯沸かし器。
【請求項２】
断熱構成は、内容器出口と出湯管路との間のシールである請求項１記載の電気湯沸かし器。
【請求項３】
出湯管路と内容器出口の接続部は、電動ポンプの吸い込み口と一体とする請求項２記載の電気湯沸かし器。
【請求項４】
シールを低熱伝導率材とする請求項２または３記載の電気湯沸かし器。
【請求項５】
断熱構成は、内容器出口を内容器と別体とした請求項１記載の電気湯沸かし器。
【請求項６】
外装本体に内包されるとともに収容した液体を加熱する加熱部を有した内容器と、前記内容器底部の内容器出口に接続され途中に電動ポンプを設けた出湯管路とを備え、前記内容器と前記加熱部との間に断熱構成を有した電気湯沸かし器。
【請求項７】
外装本体に内包されるとともに収容した液体を加熱する加熱部を有した内容器と、前記内容器底部の内容器出口に接続され途中に電動ポンプを設けた出湯管路とを備え、前記内容器を低熱伝導率材とした電気湯沸かし器。
【請求項８】
外装本体に内包されるとともに収容した液体を加熱する加熱部を有した内容器と、前記内容器底部の内容器出口に接続され途中に電動ポンプを設けた出湯管路とを備え、前記内容器はその内側表面全体あるいは、前記内容器出口部に低熱伝導率材の被膜を有した電気湯沸かし器。
【請求項９】
電動ポンプは、外装本体内に有した電源により駆動する請求項１〜８のいずれか一項記載の電気湯沸かし器。
【発明の詳細な説明】
【０００１】
【発明の属する技術分野】
本発明は、電気湯沸かし器の、電動ポンプの泡がみ現象防止に関するものである。
【０００２】
【従来の技術】
図６は従来例の電気湯沸かし器の構成を示す図である。従来の電気湯沸かし器は、外装本体に内包され、一部に加熱部を有した液体を貯めるための内容器と、内容器底部の内容器出口に接続され途中に電動ポンプを設けた出湯管路を有したものである。
【０００３】
【発明が解決しようとする課題】
しかしながら前記従来の構成では、内容器内の液体を加熱部により沸騰状態まで加熱した直後に、電動ポンプを駆動し内容器内の液体を出湯する際、内容器出口や、電動ポンプの吸い込み口内、インペラ等に気泡が充満し出湯不可能状態になることがある。
【０００４】
これは、沸騰直後は、電動ポンプが駆動していない状態で沸騰状態にあった液体が、出湯操作のため電動ポンプが駆動されることにより、内容器出口や、吸い込み口内、インペラの局所の液体が減圧され、その結果沸点が下がり再沸騰状態となる。再沸騰状態になった液体は水蒸気の泡を連続的に発生し、この水蒸気の泡は内容器出口や、吸い込み口内、ポンプケース内等に時間とともに充満するとともに、浮力、表面張力、吸い込み圧等のバランスや、インペラの遠心分離作用等により滞留する。
【０００５】
内容器出口や吸い込み口内に充満・滞留した泡は、出湯管路をふさぐ事になり出湯管路の圧損となる。一方、ポンプケース内に充満・滞留した泡は内部の圧損になると同時に、特に遠心式の電動ポンプでは媒体の密度低下による遠心力の低下となり、出湯性能は大幅に低下し出湯不可能となる。
【０００６】
この再沸騰を防ぐには、液体の温度を下げるか、減圧部の圧力を上昇させるのが有効であるが、前者は電気湯沸かし器としての基本性能に影響し、後者は結果として出湯性能に影響する。
【０００７】
また特に、内容器出口は、内容器と同一材料で一体に構成され、内容器に設けられた加熱部からの熱や余熱が内容器出口内部を通過する液体に伝わりやすいため、液体の温度が上昇し再沸騰が起きやすい。
【０００８】
本発明は、上記の従来の課題を解決するもので、内容器と内容器出口との間に断熱構成を有したことにより再沸騰を防止し、電気湯沸かし器を沸騰直後でも安定して出湯可能とすることを目的とする。
【０００９】
【課題を解決するための手段】
従来の課題を解決するために本発明の電気湯沸かし器は、外装本体に内包されるとともに収容した液体を加熱する加熱部を有した内容器と、前記内容器底部の内容器出口に接続され途中に電動ポンプを設けた出湯管路とを備え、前記内容器と前記内容器出口との間に断熱構成を有したことにより、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。
【００１０】
【発明の実施の形態】
請求項１記載の発明は、外装本体に内包されるとともに収容した液体を加熱する加熱部を有した内容器と、前記内容器底部の内容器出口に接続され途中に電動ポンプを設けた出湯管路とを備え、前記内容器と前記内容器出口との間に断熱構成を有したことにより、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。
【００１１】
請求項２記載の発明は、特に請求項１記載の断熱構成が、内容器出口と出湯管路との間のシールとした事により、大きな構成の変更無く実現が可能となる。
【００１２】
請求項３に記載の発明は、特に、請求項２記載の出湯管路と内容器出口との接続部は、電動ポンプの吸い込み口と一体に構成した事により部品点数を増やすことなく実現が可能となる。
【００１３】
請求項４に記載の発明は、特に、請求項２または３記載のシールを低熱伝導率材で構成した事により、更なる再沸騰防止が可能となる。
【００１４】
請求項５に記載の発明は、特に請求項１記載の断熱構成を、内容器出口を内容器と別体とし、内容器よりも熱伝導率の低い材料で内容器出口を構成することが可能となる。
【００１５】
請求項６に記載の発明は、外装本体に内包されるとともに収容した液体を加熱する加熱部を有した内容器と、前記内容器底部の内容器出口に接続され途中に電動ポンプを設けた出湯管路とを備え、前記内容器と前記加熱部との間に断熱構成を有した事により、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。
【００１６】
請求項７に記載の発明は、外装本体に内包されるとともに収容した液体を加熱する加熱部を有した内容器と、前記内容器底部の内容器出口に接続され途中に電動ポンプを設けた出湯管路とを備え、前記内容器を低熱伝導率材としたたことにより、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。
【００１７】
請求項８に記載の発明は、外装本体に内包されるとともに収容した液体を加熱する加熱部を有した内容器と、前記内容器底部の内容器出口に接続され途中に電動ポンプを設けた出湯管路とを備え、前記内容器はその内側表面全体あるいは、前記内容器出口部に低熱伝導率材の被膜を有したことにより、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。
【００１８】
請求項９に記載の発明は、電動ポンプを外装本体内に有した電源により駆動する際に、請求項１〜８のいずれか１項に記載の構成により、電源の限られたエネルギを効率よく消費するために必要な電動ポンプの効率化の際に課題となる再沸騰を防止することが可能となる。
【００１９】
【実施例】
（実施例１）
図１（ａ）に示すように、外装本体１に内包され、一部に加熱部２を有した液体を貯めるための内容器３と、内容器底部４の内容器出口５に接続され途中に電動ポンプ６を設けた出湯管路７を有した電気湯沸かし器８において、図１（ｂ）に示すように、内容器３と内容器出口５を別部品で構成し、内容器出口５の材料は内容器３の材料に対し樹脂材料などの低熱伝導率材料で構成する。
【００２０】
以上の構成の動作を説明する。電気湯沸かし器８の内容器３の底部は沸騰直後、内容器３に設けられた加熱部２からの熱や余熱により高温となっている。電動ポンプ６を駆動し出湯操作を行う際、内容器３と内容器出口５を別部品で構成し、内容器出口５の材料は内容器３の材料に対し樹脂材料などの低熱伝導率材料で構成した事により断熱構成が形成され、加熱部２からの熱や余熱が内容器３を介して内容器出口５内部を通過する液体に伝導するのを押さえ、結果として内容器出口５内部を通過する液体の温度の上昇を抑えることにより再沸騰を防止することが可能となる。
【００２１】
また、図２（ａ）に示すように、断熱構成は、内容器出口５と出湯管路７の入り口部９との間のシール１０により構成した事により、大きな構成の変更無く実現が可能となる。
【００２２】
更に、図２（ｂ）に示すように、断熱構成は、孔上に構成された内容器出口５に設けた出湯管路７の入り口部９との間のシール１０により構成でもよい。
【００２３】
なお、図２（ａ）、（ｂ）に示したように、出湯管路７の内容器出口５へのシール１０を介しての接続部１１は、電動ポンプ６の吸い込み口１２と一体に構成した事により部品点数を増やすことなく実現が可能となる。
【００２４】
なお、シール１０はシリコンゴムなどの内容器３に比べ熱伝導率の低い材料で構成する事により更に断熱効果が得られる。
【００２５】
また、電動ポンプ６を外装本体１内に有した電源（図示せず）により駆動する際に、これらの断熱構成を有することにより電源の限られたエネルギを効率よく消費するために必要な電動ポンプ６の効率化の際に課題となる再沸騰を防止することが可能となる。
【００２６】
（実施例２）
図３（ａ）、（ｂ）に示すように、外装本体（図示せず）に内包され、一部に加熱部２を有した液体を貯めるための内容器３と、内容器底部４の内容器出口５に接続され途中に電動ポンプ６を設けた出湯管路７を有した電気湯沸かし器８において、内容器３と加熱部２との間に、樹脂などの低熱伝導率材を挟む、別部品とするなどの断熱部１３を設けた構成とする。
【００２７】
以上の構成の動作を説明する。電気湯沸かし器８の内容器３の底部は沸騰直後、内容器３に設けられた加熱部２からの熱や余熱により高温となっている。電動ポンプ６を駆動し出湯操作を行う際、内容器３と加熱部２との間に断熱部１３により、内容器３に設けられた加熱部２からの熱や余熱が、内容器出口５内部を通過する液体に伝導するのを押さえ、結果として内容器出口５内部を通過する液体の温度の上昇を抑えることにより再沸騰を防止することが可能となる。
【００２８】
（実施例３）
図４に示すように、外装本体（図示せず）に内包され、一部に加熱部２を有した液体を貯めるための内容器３と、内容器底部４の内容器出口５に接続され途中に電動ポンプ６を設けた出湯管路７を有した電気湯沸かし器８において、内容器３全体あるいは加熱部２を除く場所を低熱伝導率材で構成する。
【００２９】
以上の構成の動作を説明する。電気湯沸かし器８の内容器３の底部は沸騰直後、内容器３に設けられた加熱部２からの熱や余熱により高温となっている。電動ポンプ６を駆動し出湯操作を行う際、内容器３全体あるいは加熱部２を除く場所を低熱伝導率材で構成した事により、加熱部２からの熱や余熱が、内容器出口５内部を通過する液体に伝導するのを押さえ、結果として内容器出口５内部を通過する液体の温度の上昇を抑えることにより再沸騰を防止することが可能となる。
【００３０】
（実施例４）
図５に示すように、外装本体（図示せず）に内包され、一部に加熱部２を有した液体を貯めるための内容器３と、内容器底部４の内容器出口５に接続され途中に電動ポンプ６を設けた出湯管路７を有した電気湯沸かし器８において、内容器３はその内側表面全体あるいは、内容器出口部５に低熱伝導率材の被膜１４を構成する。
【００３１】
以上の構成の動作を説明する。電気湯沸かし器８の内容器３の底部は沸騰直後、内容器３に設けられた加熱部２からの熱や余熱により高温となっている。電動ポンプ６を駆動し出湯操作を行う際、内容器３にその内側表面全体あるいは、内容器出口部５に低熱伝導率材の被膜１４を構成した事により、加熱部２からの熱や余熱が、内容器出口５内部を通過する液体に伝導するのを押さえ、結果として内容器出口５内部を通過する液体の温度の上昇を抑えることにより再沸騰を防止することが可能となる。
【００３２】
【発明の効果】
以上のように、本発明によれば、内容器に設けられた加熱部からの熱や余熱が、内容器出口内部を通過する液体に伝導するのを押さえ、結果として内容器出口内部を通過する液体の温度の上昇を抑えることにより再沸騰を防止することが可能となる。
【００３３】
また、電動ポンプを外装本体内に有した電源により駆動する際に、これらの断熱構成を有することにより電源の限られたエネルギを効率よく消費するために必要な電動ポンプの効率化の際に課題となる再沸騰を防止することが可能となる。
【図面の簡単な説明】
【図１】（ａ）本発明の実施例１を示す電気湯沸かし器の側面断面図
（ｂ）同部分断面図
【図２】（ａ）本発明の実施例１を示す電気湯沸かし器の部分断面図
（ｂ）本発明の実施例１を示す電気湯沸かし器の部分断面図
【図３】（ａ）本発明の実施例２を示す電気湯沸かし器の部分断面図
（ｂ）本発明の実施例２を示す電気湯沸かし器の部分断面図
【図４】本発明の実施例３を示す電気湯沸かし器の側面断面図
【図５】本発明の実施例４を示す電気湯沸かし器の側面断面図
【図６】従来例を示す電気湯沸かし器の側面断面図
【符号の説明】
１　外装本体
２　加熱部
３　内容器
４　内容器底部
５　内容器出口
６　電動ポンプ
７　出湯管路
８　電気湯沸かし器
９　入り口部
１０　シール
１１　接続部
１２　吸い込み口
１３　断熱部
１４　被膜
【図１】
2004097438.tif 000003
【図２】
2004097438.tif 000004
【図３】
2004097438.tif 000005
【図４】
2004097438.tif 000006
【図５】
2004097438.tif 000007
【図６】
2004097438.tif 000008